(57)【要約】      （修正有）【課題】引き金の位置が視覚的に前方にあることを確認し、弾丸が発射可能の状態になっていることが判別できるような玩具銃を提供する。【解決手段】ピストン下部後端に固定された突出片の上方に係合突起を一体的に形成され且つ玩具銃の後方部下方に中心軸に揺動可能に設けられ引き金部と、その上方位置で中心軸で揺動可能にに設けられ、且つ下部係合爪片を形成すると共に前記ピストン下部後端に固定された突出片を収容凹部を一体的に形成してなるシアー部とからなり、前記ピストン下部に固定された突出片が後退し、該突出片がシアーを揺動させる共に前記シアー部の収容凹部にピストン下部後端に固定された突出片を収容したとき、シアー部の下部前端に設けられた係合爪部と、引金部と一体的に形成された係合止め部とが噛み合う位置では、引金位置が引金ガード後方位置より前方方向に移動する。【選択図】図２
0003112950.tif 000002
【実用新案登録請求の範囲】
【請求項１】
シリンダーと、シリンダーの内部を前後に摺動するピストンと、前記ピストンを保持又は離脱させる引き金部とからなる玩具銃において、引き金の上方部においてピストンと引き金とを係合させ、該係合状態では引き金位置が視覚的に前方離間位置に移動するようにしたことを特徴とする玩具銃の引き金装置。
【請求項２】
シリンダー内部を前後に摺動自在に設けられたピストン下部後端に固定された突出片と、上方突出片の上方に係合突起を一体的に形成され且つ玩具銃の後方部下方に中心軸に揺動可能に設けられ引き金部と、前記引き金部の上方位置で中心軸で揺動可能にに設けられ、且つ下部係合爪片を形成すると共に前記ピストン下部後端に固定された突出片を収容凹部を一体的に形成してなるシアー部とからなり、前記ピストン下部に固定された突出片が後退し、該突出片がシアーを揺動させる共に前記シアー部の収容凹部にピストン下部後端に固定された突出片を収容したとき、シアー部の下部前端に設けられた係合爪部と、引金部と一体的に形成された係合止め部とが噛み合う位置では、引金位置が引金ガード後方位置より前方方向に移動することを特徴とする玩具銃の引き金装置。
【考案の詳細な説明】
【技術分野】
【０００１】スプリング式の玩具銃において、弾丸が発射可能な状態か、発射不可能な状態かを玩具銃自体の外観を見るだけで、視覚的に識別し得る玩具銃に関する。
【背景技術】
【０００２】発射可能な状態か、発射不可能な状態かを玩具銃の後端のインジケーターが後端部に突出しているか、突出していないかによって認識できるエアソフトガンは、株式会社東京マルイ（住所  東京都足立区綾瀬４−１６−１６  （電話０３−３６０５−３３１２）により平成６年頃に発売された  ＭＡＲＵＩ  Ｈ＆ｋＰ７Ｍ１３として発売され、更に、これを取材した雑誌「、アームズマガジン１９９４年５月号」所載の紹介記事のより既に公知である。（例えば非文献１）【０００３】又、発射可能な状態か、発射不可能な状態かを玩具銃の後端のインジケーターが後端部に突出しているか、突出していないかに知ることができるものとして、その内部構造の詳細を特許文献として開示したものがある。（例えば特許文献１）しかしながら、玩具銃の引き金の位置によって発射可能な状態か、発射不可能な状態かを予め、玩具銃の使用者によって判別することのできるものは玩具銃では存在しない。【０００４】
【非特許文献１】アームズマガジン１９９４年５月号所載の記事
【特許文献２】特開２００４−３４７２２１号
【考案の開示】
【考案が解決しようとする課題】
【０００５】玩具銃であっても弾丸が発射可能の状態になっているのに乱暴に扱えば、或いは不用意に玩具銃をおとした場合、それが暴発することにより弾丸が発射されることがあり、その弾丸によって人又は物に損傷をあたえることがある。
玩具銃の使用者は、弾丸を発射させる場合には、必ず引き金を引くのであるから、どの使用者も引き金の位置には注意するものである。そこでこの考案は、引き金の位置が視覚的に前方にあることを確認できるような玩具銃であれば、その状態では弾丸が発射可能の状態になっていることが判別できるような玩具銃を提供しようとするものである。
【課題を解決するための手段】
【０００６】前記の目的を達成するために、本考案の玩具銃は、シリンダーと、シリンダーの内部を前後に摺動するピストンと、前記ピストンを保持又は離脱させる引き金部とからなる玩具銃において、引き金の上方部においてピストンと係合固定させ、該係合状態では引き金位置が視覚的に前方離間位置にに移動するようにした。【０００７】更に、また本考案の玩具銃は、シリンダー内部を前後に摺動自在に設けられたピストン下部後端に固定された突出片と、上方突出片の上方に係合突起を一体的に形成され且つ玩具銃の後方部下方に中心軸に揺動可能に設けられ引き金部と、前記引き金部の上方位置で中心軸で揺動可能にに設けられ、且つ下部係合爪片を形成すると共に前記ピストン下部後端に固定された突出片を収容凹部を一体的に形成してなるシアー部とからなり、前記ピストン下部に固定された突出片が後退し、該突出片がシアーを揺動させる共に前記シアー部の収容凹部にピストン下部後端に固定された突出片を収容したとき、シアー部の下部前端に設けられた係合爪部と、引金部と一体的に形成された係合止め部とが噛み合う位置では、引金位置が引金ガード後方位置より前方方向に移動するようにした。
【考案の効果】
【０００８】玩具銃の外観を見ただけで、弾丸が発射可能な状態であれば、その扱いが慎重になる。そのため考案者は、玩具銃の発射に関わる引き金が初期位置、即ち、引き金が引き金ガード後方位置に接するような位置より前方に移動し、引き金が引き金ガード後方位置より前方離間位置となるようにすることにより、弾丸が発射可能な状態であるかがわかるようにした。
【考案を実施するための最良の形態】
【実施例】
【０００９】玩具銃１のシリンダー２内部を前後に摺動自在に設けられたピストン３の後端下部に固定された突出片４が固定されている。【００１０】一方、引き金部７は、その上端には係合突起５を形成した上方突出片６と、この上方突出片６とほぼ直状に形成された接続扞８と、更にこの接続扞８の下方に形成された引き金９と、からなり、前記係合突起５の下部と接続扞８の前端部とが銃本体１１に支軸１０によって固定されている。【００１１】引き金部７の上方部にはシアー部１２は、その前方起立部１３と、起立部１３の後部の上方は収容凹部１４とからなっている。シアー部１２は、そのほぼ中央部に中心軸１１により揺動自在に支持されている。シアー部１２を構成する起立部１３の下端には爪片１５が形成されると共に前記収容凹部１４は、シリンダー２の後端に設けられた突出片４を収納し得る形状となっている。【００１２】シアー１２の後方下部と、引き金部７を構成する接続扞８の上方部との間には押しバネ１６が取付けられ、常に一方方向にシアー１２を付勢している。【００１３】ピストン３は筒状体であって、その内部には弾圧力に抗してピストンバネ１７が装着されている。このピストンバネ１７は玩具銃本体の後端部に固定された保持部１８に固定させてバネ保持杆１９を突出保持されている。ピストンバネ１７の前端はピストン３の内部前端に位置し、ピストンバネ１７の後端はバネ保持杆１９の後端に位置するよちうにしてあり、ピストン３の前進時及び後退時毎にピストンバネ１７が伸長と収縮を繰り返すようにしてある。更に、筒状ピストン３の先端部にはピストンパッキン２４が付設され、ピストン２の内部とゆき気密性を得られるようにしてある。【００１４】玩具銃１の内部弾丸発射をより効果的にすべく、シリンダー２先端部には圧縮空気が収束されてその先端部がら噴出すように小径の細筒２０に形成してある。玩具銃１の先端弾道部２１の内部後方は弾丸２２に装填せられ、シリンダー２が前進した位置では、弾丸２２はシリンダー２の先端部の細筒２０の前端部に近接するようになっている。【００１５】図２のイの状態は、本願考案の玩具銃１の初期状態であって、ピストン３は、シリンダー２の前端部にあるが、その状態から更に図２のロの如くにピストン３を後動させることによってピストンバネ１７は徐々に圧縮すると共に、更に図２のハの状態の如くにピストン２０後端下部に固定された突出片４がシアー部１２の収容凹部１４内に収納された状態では、引き金部７の上端には係合突起５とシアー部１２の下端に設けられた爪片１５とが噛み合うようになる。この状態で、玩具銃１の先端弾道部２２の内部後方は弾丸２２に装填せられると共に、引き金９の位置は引き金ガード２３の後端より若干に前方方向に移動すると共に、シリンダー２のみが初期位置、即ちシリンダー２の先端の細筒２０の前端部が弾丸２２位置のすぐ後ろ近接位置に戻される。【００１６】即ち、図２のイの状態では引き金９の位置は図３の実線で示す後方部引き金ガード２３にほぼ密着するが、図２のハの状態、即ち、引き金部７の上端には係合突起５とシアー部１２の下端に設けられた爪片１５とが噛み合った状態では、図３点線で示した位置、即ち後方部引き金ガード２３から若干離間する位置に移行する。【００１７】引き金部７の上端には係合突起５とシアー部１２の下端に設けられた爪片１５とが噛み合った状態が、本願考案の玩具銃の発射可能状態である。引き金９が、このように位置移動して後方部引き金ガード２３から若干離間していたら、使用者はそれを視覚的に認識することができる。この状態において、引き金９を引けば、引き金部７の上端には係合突起５とシアー部１２のの下端に設けられた爪片１５との係合が解かれ、ピストン３は、ピストンバネ１７の弾発力によって、シリンダー２の内部を急速に前進する。その際、ピストン３はシリンダー２内部の空気を圧縮し、その圧縮空気により弾丸２２は弾道内部を発射する。なお、２５は銃後端部である。
【図面の簡単な説明】
【００１８】
【図１】本願考案の玩具銃の発射可能な状態を示す拡大断面図である。
【図２】図２の（イ）は本願考案の玩具銃の初期状態、図２の（ロ）はシリンダーを牽引状態、図２の（ハ）は本願考案の玩具銃の発射可能な状態を示すを示す一連の説明断面図である。
【図３】本願考案の玩具銃の引き金の移動状態を示す一部側面図である。
【図４】図４の（イ）は本願考案の玩具銃ピストン後端の突出片とシアー部と引き金部との関連的動きを示す初期状態を示す説明断面図、図４の（ロ）は本願考案の玩具銃ピストン後端の突出片とシアー部と引き金部との関連的動きを示すピストンの後退時を示す説明断面図、シリンダーを牽引状態、図４の（ハ）は本願考案の玩具銃ピストン後端の突出片とシアー部と引き金部との関連的動きを示す、シアー部と引き金部とが噛み合った状態を示す説明断面図である。
【符号の説明】
１．．．．玩具銃
２．．．．シリンダー
３．．．．ピストン
４．．．．突出片
５．．．．係合突起
６．．．．上方突出片
７．．．．引き金部
８．．．．接続扞
９．．．．引き金
１０．．．支軸
１２．．．シアー部
１３．．．前方起立部
１４．．．収容凹部
１５．．．爪片
１６．．．押しバネ
１７．．．ピストンパネ
１８．．．保持板
１９．．．バネ保持杆
２０．．．細管
２１．．．弾道部
２２．．．弾丸
２３．．．引き金ガード
２４．．．ピストンパッキン
２５．．．銃後端部
【図１】
0003112950.tif 000003
【図２】
0003112950.tif 000004
【図３】
0003112950.tif 000005
【図４】
0003112950.tif 000006